(57)【要約】【課題】  原稿上の光沢部分に関する処理を低コストで実現可能にする。【解決手段】  処理部３２は、光源を画像読み取り面に照射した光によってハレーションを起こさない照射位置にして、画像読み取り面からハレーションが起きないときの画像を読み取り、光源を画像読み取り面に照射した光によってハレーションを起こす照射位置にして、画像読み取り面からハレーションが起きたときの画像を読み取り、光沢検知部によって上記ハレーションが起きたときと起きないときの両画像に基づいて原稿の光沢部分を検知する。コントローラ部２０１は、読み取った原稿中の光沢検知部が検知した光沢部分が示す宛先に、光源をハレーションを起こさない照射位置に配置して読み取ったその原稿の画像を処理部３２から取得して送信する。【選択図】        図１１
2014039103.tif 000002
【特許請求の範囲】
【請求項１】
読み取り対象の原稿をハレーションを起こさない配置で読み取る第１の読み取りを行うと共に、光源を前記原稿に照射した光によってハレーションが起きる照射位置に配置して前記原稿を読み取る第２の読み取りを行う読取手段と、
前記読取手段が前記第１及び第２の読み取りによって読み取った両画像に基づいて前記原稿の光沢部分を検知する光沢検知手段と、
読み取った原稿中の前記光沢検知手段が検知した光沢部分が示す宛先に、前記第１の読み取りで読み取った該原稿の画像を送信する送信手段とを備えることを特徴とする画像処理装置。
【請求項２】
読み取り対象の原稿をハレーションを起こさない配置で読み取る第１の読み取りを行うと共に、光源を前記原稿に照射した光によってハレーションが起きる照射位置に配置して前記原稿を読み取る第２の読み取りを行う読取手段と、
前記読取手段が前記第１及び第２の読み取りによって読み取った両画像に基づいて前記原稿の光沢部分を検知する光沢検知手段と、
読み取った原稿中の前記光沢検知手段が検知した光沢部分が示す識別情報に基づき、該読み取った原稿の真贋を判定する真贋判定手段とを備えることを特徴とする画像処理装置。
【請求項３】
読み取り対象の原稿をハレーションを起こさない配置で読み取る第１の読み取りを行うと共に、光源を前記原稿に照射した光によってハレーションが起きる照射位置に配置して前記原稿を読み取る第２の読み取りを行う読取手段と、
前記読取手段が前記第１及び第２の読み取りによって読み取った両画像に基づいて前記原稿の光沢部分を検知する光沢検知手段と、
読み取った原稿中の前記光沢検知手段が検知した光沢部分が示す認証情報に基づいてユーザの認証を行い、これが成功した場合に、該読み取った原稿の画像のうち前記光沢検知手段が検知した光沢部分に関する処理を許可する認証手段とを備えることを特徴とする画像処理装置。
【請求項４】
読み取り対象の原稿をハレーションを起こさない配置で読み取る第１の読み取りを行うと共に、光源を前記原稿に照射した光によってハレーションが起きる照射位置に配置して前記原稿を読み取る第２の読み取りを行う読取手段と、
前記読取手段が前記第１及び第２の読み取りによって読み取った両画像に基づいて前記原稿の光沢部分を検知する光沢検知手段と、
読み取った原稿を複製する複製手段と、
読み取った原稿中に前記光沢検知手段が検知した光沢部分が示す設定情報に従った複製を前記複製手段に行わせる複製制御手段とを備えることを特徴とする画像処理装置。
【請求項５】
前記複製手段は、前記読取手段が原稿を読み取って得た画像データに基づきシート材に画像を形成する手段であり、読み取った原稿中に前記光沢検知手段が検知した光沢部分の情報に基づき、該光沢部分の画像を、透明な材料でシート材に形成する手段を有することを特徴とする請求項４に記載の画像処理装置。
【請求項６】
請求項１から５のいずれか一項に記載の画像処理装置において、
シート材に光沢部分を含む画像を形成する画像形成手段と、
情報の入力を受け付ける情報受付手段と、
シート材に形成すべき画像を取得する画像取得手段と、
前記取得手段が取得した画像に、前記情報受付手段が受け付けた情報を示す光沢部分を付加した画像を、前記画像形成手段に形成させる画像形成制御手段とを設けたことを特徴とする画像処理装置。
【請求項７】
前記画像形成制御手段は、ユーザが指定した位置に前記光沢部分を付加することを特徴とする請求項６に記載の画像処理装置。
【発明の詳細な説明】
【技術分野】
【０００１】
この発明は、原稿の画像を読み取る画像読取装置やそれを備えた画像形成装置等の画像処理装置に関する。
【背景技術】
【０００２】
バーコードに代表されるマーキングと呼ぶ技術がある。
これは、特定パターンを印刷した原稿を読み取り、その読み取った画像から抽出したパターンから、そのパターンが示す情報を取り出す技術である。
この技術は、現在もさまざまな用途に使われている。
例えば、商品のラベルや出版物には、関連ホームページへ誘導するためのバーコード（ＱＲｃｏｄｅ（登録商標））が多くみられる。
【０００３】
また、オフィスの文書にも、コピー機でのコピー許可、あるいは禁止を指示する地紋が使われている。
バーコードは原稿の局所面積を特定のパターンで占有するタイプであり、地紋は多数の小さな点や線で構成したパターンをコンテンツと重ね合わせるタイプであるが、いずれも、ラベル、出版物、文書を見る利用者にとって、“じゃまなもの”であると言える。
【０００４】
なぜなら、人間が見て理解するコンテンツ（文字や図形）と、機械に理解させるためのパターンを同じページ内に混在させているからである。
そこで、文書のコンテンツ中のバーコードや地紋のようなパターンを“じゃまなもの”でなくするためには、例えば、パターンを目立たない色のトナー（インク）で印刷すればよい。
【０００５】
近年、ファクシミリ装置、プリンタ、複写機、複合機を含む画像形成装置の電子写真プロセスにおいて、透明なトナーの使用が可能になっており、ここでは、この透明なトナーを利用して文書のコンテンツ中のバーコードや地紋のようなパターンを“じゃまなもの”でなくすることを考える。
【０００６】
まず、透明トナーでパターンを印刷すれば、バーコードや地紋のようなパターンを“じゃまなもの”でなくすることはできるが、新たにパターンの抽出について課題が生じてしまう。
すなわち、人間が見ても見えない透明なトナーのパターンは、原稿の画像を読み取る画像読取装置（スキャナ）に読ませても読み取れないという課題である。
【０００７】
これは通常の画像読取装置が、人間が観察するのと同じ見栄えの画像を得るように設計されているからである。
したがって、この設計を多少なりとも変更しないと、上記課題は解決できない。
そこで従来、次のような技術が上記課題を解決するためのものとして提案されている。
【０００８】
（１）透明トナーに特殊な材を混ぜる技術
原稿に紫外線に対して蛍光を発する蛍光インクによって画像を形成し、その原稿に紫外線を照射し、蛍光インクによって励起した光によって蛍光インクで形成された画像を検知する技術（例えば、特許文献１参照）や、原稿に不可視光に吸収域を有する記録材料を用いて不可視画像を形成し、その原稿に赤外線を含む不可視光を照射し、光が吸収された部分によって不可視画像を検知する技術（例えば、特許文献２参照）などがある。
【０００９】
（２）透明トナーにより光沢を生じさせる技術
透明トナーを塗布した領域は平滑性が高まり光沢が生じ、塗布しない領域は用紙が持つ低い平滑性が維持され光沢が生じない。
そこで、正反射光を検知することにより、両領域で２値のパターンが観測する技術（例えば、特許文献３）がある。この技術によれば、特定の角度からだと人間にも見えてしまうが、“じゃまなもの”というほどでもなくなる。
【００１０】
（３）また、正反射光より乱反射光を検知した方が、原稿の色（原稿によって吸収される波長）を精度よく読み取ることができるので、乱反射光を受光するＣＣＤを備え、乱反射光のみを検知する技術（例えば、特許文献４）がある。
乱反射光の光量は、原稿の色（用紙自体または付着したトナーやインクの色）によって増減するが、光沢の度合いによっても増減する。
【００１１】
図９に示すように、原稿の色が同じなら、図９の（ｂ）に示す原稿の光沢のある光沢領域は、図９の（ａ）に示す原稿の光沢のない非光沢領域に比べ、入射光に対する乱反射光の光量が小さくなるという原理がある。
この原理を利用して、用紙の地肌（トナーやインクが付着していない部分）の光沢パターンを読み取るのである。
【発明の概要】
【発明が解決しようとする課題】
【００１２】
しかしながら、上述の（１）の技術では、蛍光インクで印刷した領域（光沢部分）と、印刷していない領域とでパターンを形成すれば、受光の異なる２値のパターン画像を検知できるが、蛍光インクそのものも透明なので、“じゃまなもの”にはならないが、画像読取装置に非可視波長域までカバーした特殊な照明や受光素子を設ける必要があり、画像読取装置の製造が高コストになるという問題があった。
【００１３】
また、（２）の技術では、光沢のパターン（光沢部分）を読み取るためのものではないが、正反射光用受光素子を使えば、光沢パターンを読み取ることができる。
しかし、画像読取装置に専用の受光素子を設ける分、画像読取装置のシステムが膨大となり、画像読取装置の製造が高コストになるという問題があった。
【００１４】
さらに、（３）の技術では、特定の照明光量（通常の８５％）でスキャンし、得られた画像の輝度値の度数分布（ヒストグラム）から、光沢領域（光沢部分）と非光沢領域の輝度値を特定しているので、画像読取装置に特殊な照明や受光素子を設ける必要はなく、画像読取装置の製造が高コストとなるという問題はなくなる。
【００１５】
しかし、用紙の多様性に対応できないという新たな問題が生じる。
つまり、用紙の白色度によっては、正しくパターンが検出できない場合がある。
白色度が高い用紙では、パターンを検出できたとしても、白色度が低い用紙では、光沢領域と非光沢領域の輝度値が接近しすぎて、弁別できない。
【００１６】
また、上述したいずれの技術も、光沢部分によりそれ以外の通常の画像に加えて表現した情報を十分に活用する手段を提供するものではなかった。
この発明は上記の点に鑑みてなされたものであり、光沢部分により表現した情報を活用した利便性の高い画像処理を実現することを目的とする。
【課題を解決するための手段】
【００１７】
この発明は上記の目的を達成するため、読み取り対象の原稿をハレーションを起こさない配置で読み取る第１の読み取りを行うと共に、光源を上記原稿に照射した光によってハレーションが起きる照射位置に配置して上記原稿を読み取る第２の読み取りを行う読取手段と、上記読取手段が上記第１及び第２の読み取りによって読み取った両画像に基づいて上記原稿の光沢部分を検知する光沢検知手段と、読み取った原稿中の上記光沢検知手段が検知した光沢部分が示す宛先に、上記第１の読み取りで読み取った該原稿の画像を送信する送信手段とを備えるものである。
【発明の効果】
【００１８】
この発明による画像処理装置によれば、光沢部分により表現した情報を活用した利便性の高い画像処理を実現することができる。
【図面の簡単な説明】
【００１９】
【図１】図２に示す画像読取装置の画像処理に係る機能構成を示すブロック図である。
【図２】この発明の一実施形態である画像形成装置の機構部を示す概略構成図である。
【図３】図２に示す画像読取装置の搬送ドラムと光源を含む周辺部分の拡大図である。
【００２０】
【図４】同じく図２に示す画像読取装置の搬送ドラムと光源を含む周辺部分の拡大図である。
【図５】図１に示す処理部による光沢検知処理を示すフローチャート図である。
【図６】図１に示す光沢検知部における光沢領域識別処理の説明に供する画像例を示す図である。
【００２１】
【図７】リニアリティの近似直線のグラフの図である。
【図８】図１に示す処理部による他の光沢検知処理を示すフローチャート図である。
【図９】原稿の光沢領域と非光沢領域における反射光の様子の一例を示す図である。
【図１０】ブック原稿に光を照射したときに生じるハレーションの説明に供する図である。
【００２２】
【図１１】図２に示した画像読取装置１の宛先自動検知送信機能を実現するための制御系の構成例を示すブロック図である。
【図１２】図１１に示した画像読取装置１の各部による宛先自動検知送信処理の一例を示すフローチャート図である。
【図１３】図２に示した画像読取装置１の原稿真贋判定機能を実現するための制御系の構成例を示すブロック図である。
【図１４】図１３に示した画像読取装置１の各部による原稿真贋判定処理の一例を示すフローチャート図である。
【００２３】
【図１５】原稿の真贋判定を行う際の各座標の読取値の説明に供する画像例を示す図である。
【図１６】図２に示した画像形成装置１００の制御系の構成例を示すブロック図である。
【図１７】図１６に示した画像形成装置１００が光沢部分を含む原稿の画像を複製（コピー）するときのデータ分離の説明に供する画像例を示す図である。
【図１８】図１６の操作部２０３の表示部に表示される操作画面の一例を示すレイアウト図である。
【図１９】図１６に示した画像形成装置１００の各部によるユーザ認証を含む光沢検知印刷の一例を示すフローチャート図である。
【発明を実施するための形態】
【００２４】
以下、この発明を実施するための形態を図面に基づいて具体的に説明する。
図２は、この発明による画像処理装置の一実施形態である画像形成装置１００の機構部を示す概略構成図である。
この画像形成装置１００は、コピー機能、プリンタ機能、ファクシミリ通信とインターネットを介した通信を含む通信機能を含む複数の機能が一体となって構成された複合機であり、画像形成装置１００の本体の上部に、画像読取装置（スキャナ）１を搭載している。また、手前側上面に図示を省略した操作部を備えている。
【００２５】
この画像読取装置１は、自動原稿給送部（オートドキュメントフィーダー：ＡＤＦ）２と読取部３とからなる。
ＡＤＦ２は、ピックアップローラ１０、搬送ドラム１１を含む搬送ローラ群１２などを駆動し、原稿トレイ１３に載ったシート状の原稿Ｐが等速で読取部３のシート原稿用ガラス２２の位置を通過するように搬送する。画像を読み取られた原稿Ｐは排紙トレイ１４に搬送されて排紙される。
【００２６】
読取部３は、読み取り対象の原稿に後述する光源から光を照射して上記原稿からの反射光に基づいてその原稿の画像を読み取る読取手段である。また、原稿の光沢部分を検知するため、上記光源を上記原稿に照射した光によってハレーションを起こさない照射位置に配置して上記原稿のハレーションが起きないときの画像を読み取り、また上記光源を上記原稿に照射した光によってハレーションが起きる照射位置に配置して上記原稿のハレーションが起きたときの画像を読み取ることができる。
【００２７】
この読取部３は、上側に、コンタクトガラス２０と基準白板２１とシート原稿用ガラス２２を配置している。
コンタクトガラス２０は、ブック原稿読み取りモード（「圧板読取モード」ともいう）時に原稿Ｐ′をセットするためのものである。
このブック原稿読み取りモードとは、基準白板２１及びコンタクトガラス２０上に置かれた原稿Ｐ′に対して第１キャリッジ２３と第２キャリッジ２６を走行移動させながら原稿Ｐ′の画像を読み取るモードである。
【００２８】
シート原稿用ガラス２２は、シート原稿読み取りモード（「シートスルー読み取りモード」ともいう）時に搬送されてくる原稿Ｐを読み取るためのシート原稿読み取り位置に設けたものである。
【００２９】
このシート原稿読み取りモードとは、基準白板２１を読み取る場合は第１キャリッジ２３と第２キャリッジ２６を基準白板２１まで移動させて読み取り、原稿Ｐを読み取る場合は第１キャリッジ２３と第２キャリッジ２６をシート原稿読み取り位置に停止させた状態で、シート原稿読み取り位置に原稿Ｐを搬送させながら原稿Ｐの画像を読み取るモードである。
【００３０】
基準白板２１は、シェーディング補正時の補正データを得るために読み取る部材であり、画像の読み取り方向の主走査方向に設けられた均一濃度のほぼ白色の部材である。
読取部３の内部には、第１キャリッジ２３、第２キャリッジ２６、レンズ２９、ＣＣＤ３０、スキャナモータ３１、処理部３２を有する。
【００３１】
第１キャリッジ２３は、光源２４とミラー２５を有し、画像の読み取り方向の副走査方向に移動可能である。
第２キャリッジ２６は、ミラー２７，２８を有し、同じく画像の読み取り方向の副走査方向に移動可能である。
【００３２】
光源２４はランプであり、図２では図示を省略したランプ安定器からの駆動電圧の印加によって点灯し、所定角度で原稿Ｐ，Ｐ′の画像読み取り面に照射する照明である。
光源２４から照射された光は、基準白板２１、あるいは原稿Ｐ，Ｐ′の画像読み取り面で反射し、３枚のミラー２５，２７，２８とレンズ２９を経由して、光電変換素子であるＣＣＤ３０に入射する。
第１キャリッジ２３と第２キャリッジ２６は、非動作時にはシート原稿読み取りモード時の読み取り位置に待機する。
【００３３】
そして、ブック原稿読み取りモードでは、第１キャリッジ２３と第２キャリッジ２６がステッピングモータ等のスキャナモータ３１のモータ駆動により、原稿Ｐ′の画像読み取り面とＣＣＤ３０との間の距離を一定に保ちながら副走査方向に移動して基準白板２１及びコンタクトガラス２０上に置かれた原稿Ｐ′の画像読み取り面を読み取る。
【００３４】
一方、シート原稿読み取りモードでは、第１キャリッジ２３と第２キャリッジ２６をシート原稿読み取り位置に停止させたまま、ＡＤＦ２によって搬送されてくる原稿Ｐの画像読み取り面を読み取る。
ＣＣＤ３０には、図示を省略した公知のクロックドライバ，タイミング信号生成部，信号処理部を含んでいる。
【００３５】
ＣＣＤ３０は、入射した光の入射光量に対応した電圧を出力し、処理部３２に画像データとして渡す。上記ＣＣＤ３０で原稿Ｐの表面の画像を読み取った場合、裏面の読み取りについては、原稿の表裏を反転する原稿反転機構１６による再度所定の位置での読み取り、もしくは、表面の読取位置よりも搬送方向下流側の裏面の読取位置に配設されたＣＩＳ（Contact Image Sensor）１５により、原稿Ｐの裏面の画像面を読み取ることができる。
ＣＩＳ１５は、ＬＥＤ（発光ダイオード）を光源とし、リニアセンサで画像を直接読み取り、処理部３２に読み取った画像の画像データを渡す。
【００３６】
次に、書込ユニット４は、レーザ出力ユニット４１、結像レンズ４２、ミラー４３等で構成されている。
レーザ出力ユニット４１の内部には、レーザ光源であるレーザダイオード及びモータにより高速で定速回転する図示を省略したポリゴンミラー（回転多面鏡）が備わっている。
【００３７】
レーザ出力ユニット４１は、処理部３２からの画像データに基いてレーザビームを照射し、そのレーザビームは定速回転するポリゴンミラーで偏向され、結像レンズ４２を通ってミラー４３で折り返され、感光体ドラム４４の帯電面に集光されて結像される。
この偏向されたレーザビームは、感光体ドラム４４が回転する方向と直交する方向（主走査方向）に露光走査され、図示を省略した画像処理部のセレクタにより出力された画像データをライン単位で書き込み記録して主走査が行われる。
【００３８】
この主走査を感光体ドラム４４の回転速度と走査密度（記録密度）に対応する所定の周期で繰り返すことにより、感光体ドラム４４の帯電面に静電潜像が形成される。
なお、図示を省略するが、感光体ドラム４４の一端近傍のレーザビームが照射される位置にビームセンサが配置されていて、ここから主走査同期信号が発生するようになっている。この主走査同期信号に基づいて、主走査方向の画像記録タイミングの制御と、画像信号の入出力を行うための制御信号を生成する。
【００３９】
感光体ドラム４４の静電潜像が現像ユニット４５を通過することにより、感光体ドラム４４上にトナー画像が形成される。
一方、画像を形成するための転写紙（用紙）は、第１給紙トレイ５１，第２給紙トレイ５２又は第３給紙トレイ５３に積載されていて、それぞれ、第１給紙装置５４，第２給紙装置５５，第３給紙装置５６によって給紙され、縦搬送ユニット５０によって感光体ドラム４４に当接する位置まで搬送される。なお、転写紙以外のシート材も使用することができる。
【００４０】
なお、実際には各給紙トレイ５１〜５３のうちのいずれか１つが選択され、そこから転写紙が給紙される。
そして、給紙された転写紙を搬送ベルト（転写ベルト）４６により感光体ドラム４４の回転と等速で搬送しながらその一方の第１面に感光体ドラム４４上のトナー画像を転写し、さらに、そのトナー画像を定着ユニット４７により定着して、機外の排紙トレイ５７に排出する。
【００４１】
また、転写紙の両面にトナー画像を形成する場合には、第１面にトナー画像が形成された転写紙を排紙トレイ５７側に搬送せず、図示を省略した分岐爪によって経路を切り替え、一旦両面搬送パス４９に搬送する。その後、その転写紙を再び給紙して、感光体ドラム４４に形成されたトナー画像を他方の第２面に転写し、その後、定着ユニット４７によりそのトナー画像を定着した後、排紙トレイ５７に排出する。
なお、排紙ユニット４８は、ステープルモードを行わない場合は、排紙トレイ５７に転写紙を排紙する。
【００４２】
このようにして、この画像形成装置１００は、転写紙の両面に画像を形成する場合には両面搬送パス４９を動作させるようになっている。
以上の動作により、この画像形成装置１００は読み取った原稿を複製する複製手段としての機能を有している。
なお、図２では、図示の都合上、図２に示した感光体ドラム４４および現像ユニット４５を含む作像部を簡易的に図示したが、その作像部は実際には、シアン、マジェンタ、黄色、黒（ＹＭＣＫ）の有色トナーに追加して、転写紙の全面に透明トナーによる画像形成も実行できる構成になっている。それによって、画像の光沢性の向上と、画像のコーティング（保護）とが可能となる。
【００４３】
次に、図２に示した画像読取装置１の画像処理に係る機能構成を説明する。
図１は、図２に示した画像読取装置１の画像処理に係る機能構成を示すブロック図である。
処理部３２は、マイクロコンピュータによって実現され、画像処理部３３と３４、光沢検知部３５、およびＣＰＵ３８を有する。
【００４４】
光沢検知部３５は、差分演算部３６とメモリ３７を備えている。
画像読取装置１は、ＣＣＤ３０で得られた画像のアナログ電気信号を画像処理部３３へ送る。
画像処理部３３では、公知なので図示を省略したアナログ信号バッファとＡＣ結合を介して画像のアナログ電気信号をアナログ処理するアナログ処理部分に入力する。
【００４５】
同じく公知なので図示を省略したアナログ処理部分は、ラインクランプ、Ｓ＆Ｈ、ゲイン処理部、及びＡ／Ｄ変換部の順で処理を実施し、原稿Ｐ、Ｐ′の画像のデジタル画像データを得る。
その得られた原稿Ｐ、Ｐ′の画像のデジタル画像データ（画像データ）は専用の画像処理ＩＣ、フィールドメモリを使って、シェーディング補正とライン間補正を含む各種の画像処理を行う。
【００４６】
上記シェーディング補正処理は、読み取り系、特に光学系の読み取りムラを補正する画像処理であり、光源２４を含む照明系の光源の照明ムラ、光学レンズの周辺光量落ち、ＣＣＤ３０の画素毎の感度ムラを補正し、読み取り系の出力画像データにおける全画素データのダイナミックレンジが等しくなるようにする処理である。
【００４７】
ライン間補正処理は、画像データにおける画像読み取りの副走査方向のライン間隔を補正する補正処理であり、例えば、３ラインのＣＣＤ３０を使用した場合、ＲＧＢの原稿Ｐ、Ｐ′の読み取り位置が異なっているため、同一位置を読み取るのが最も遅い色に合わせるように他の２色に対しては、それぞれフィールドメモリに入力して、読み出しのタイミングを変えて、つまり、電気的な遅延を与えて３色光の読み取り位置を合わせる処理である。
【００４８】
また、第１キャリッジ２３と第２キャリッジ２６の速度変更による変倍のときは上記ライン間隔も変わるため、フィールドメモリの読み出しタイミングを変えて、遅延量をその都度変更している。
【００４９】
さらに、第１キャリッジ２３と第２キャリッジ２６の移動は、図示を省略した操作部、もしくは原稿サイズ検知などで得られた原稿サイズ情報に基づき、ブック原稿読み取りモード又はシート原稿読み取りモードの際に、原稿Ｐ、Ｐ′の画像読み取り面や基準白板２１に対する第１キャリッジ２３と第２キャリッジ２６の往復動作を実施し、その往復動作時の移動速度は同様に入力された変倍率などに応じてＣＰＵ３８がスキャナモータ３１に制御信号を送り、スキャナモータ３１の回転速度を制御することで変化させている。
【００５０】
この画像読取装置１の処理部３２は、シート原稿読み取りモードでは、原稿Ｐを画像読取りの副走査方向へ搬送しながら、図３に示すように、搬送ドラム１１に沿って湾曲した背景板６０上を通過することにより、光源２４から照射した光Ｌに対して原稿Ｐの画像読み取り面が画像読み取りの副走査方向に曲面状になるように移動する。
【００５１】
そして、光源２４を原稿Ｐの画像読み取り面に照射した光Ｌによってハレーションを起こさない照射位置にして（光源２４からの光Ｌが図中の通常読取位置にして）、原稿Ｐの画像読み取り面を照明し、その反射光を縮小光学系によりＣＣＤ３０に導いて、原稿Ｐの表面の画像をハレーションを起こさない状態でライン単位に読み取ることができる（第１の読み取り）。
【００５２】
また、光源２４を画像読み取り面に照射した光Ｌによってハレーションを起こす照射位置に移動させて（光源２４からの光Ｌが図中の光沢検知位置に照射される位置から光沢検知位置になる位置まで移動させて）、原稿Ｐの画像読み取り面を照明し、その反射光を縮小光学系によりＣＣＤ３０に導いて、原稿Ｐの表面の画像をハレーションを起こした状態でライン単位に読み取ることができる（第２の読み取り）。
【００５３】
一般に管灯、及びＬＥＤを用いたスキャナ光源を用いて斜めから原稿に照射する画像読取装置では、上述のように精度よく読み取れることを理由として、原稿に反射した光のうち原稿からの反射光が多い方向、つまり正反射方向では読み取らず、原稿に対して、垂直な方向の反射光（乱反射光）を読み取るのが一般的である。
【００５４】
しかし、斜めから照明した場合であっても、図１０に示すように、例えば、本など綴じ部分を読み取るとき、綴じて原稿台よりも遠くの位置にある屈曲部分Ａに光源７０から照射した光Ｌが、ある特定の角度において、正反射光が原稿台の面の垂直方向に射出する。
その結果、正反射光が直接、ＣＣＤ３０に取り込まれ、その光量は通常の原稿を読み取っているときの反射光の光量よりも大きすぎるために、画像上で白抜け（ハレーション）を起こす。
【００５５】
このハレーション現象は、図９で説明したように、非光沢部分よりも表面が滑らかな光沢部分のほうが、より正反射光が強く出ることで、顕著に出る。
そこで、この実施形態の画像形成装置１００では、画像上でこのハレーションを検知することで原稿Ｐの光沢部分と非光沢部分を識別するため、画像上で確実にハレーションを発生させることを目的とし、背景板６０を設けることにより、原稿Ｐを敢えて屈曲させた状態で読み取らせている。
【００５６】
そして、図１のＣＰＵ３８がＣＣＤ３０、スキャナモータ３１を含む各部を制御することにより、上記光源を上記画像読み取り面に照射した光によってハレーションを起こさない照射位置にして、上記画像読み取り面からハレーションが起きないときの画像を読み取り、上記光源を上記画像読み取り面に照射した光によってハレーションを起こす照射位置にして、上記画像読み取り面からハレーションが起きたときの画像を読み取る読取手段の機能を果たす。
【００５７】
さらに、図２に示した原稿反転機構１６によって原稿Ｐの表裏を反転させることにより、一旦画像読み取りの副走査方向の正方向に搬送した原稿を、原稿Ｐの裏面を光源２４側にして副走査方向の負方向に搬送させることにより、ＣＣＤ３０によって原稿Ｐの裏面の画像をハレーションを起こした状態でライン単位に読み取ることができる。
【００５８】
また、原稿の表面と裏面の画像については、上記のように原稿Ｐの表面を読み取ると共に、原稿Ｐの裏面の画像をＣＩＳ１５によって同時に読み取り、原稿Ｐの表面の画像をＣＩＳ１５によって読み取ると共に、上記のように原稿Ｐの裏面を読み取ることができる。
このＣＩＳ１５によって読み取られた画像データは、画像処理部３４によって上記画像処理部３３と同様の処理が施されて光沢検知部３５へ送られる。
【００５９】
そして、図１のＣＰＵ３８がＣＣＤ３０、ＣＩＳ１５、スキャナモータ３１を含む各部を制御することにより、ハレーションを起こさない状態の読み取り（第１の読み取り）をＣＩＳ１５により行い、ハレーションを起こした状態の読み取り（第２の読み取り）をＣＣＤ３０により行うこともできる。
すなわち、例えば、ＣＣＤ３０により上記画像読み取り面からハレーションが起きたときの画像を読み取った後、原稿反転機構１６によって上記原稿の画像読み取り面を反転させ、ＣＩＳ１５によって上記画像読み取り面からハレーションが起きないときの画像を読み取ることができる。この読み取り順は逆でもよい。
これらの場合、ＣＣＤ３０とＣＩＳ１５の双方が読取手段を構成する。
【００６０】
また、図１の光沢検知部３５が、上記読取手段によって読み取った上記ハレーションが起きたときと起きないときの両画像に基づいて上記原稿の光沢部分を検知する光沢検知手段の機能を果たす。
さらに、図３に示した背景板６０が、上記原稿の搬送時、上記光源から照射した光に対して上記画像読み取り面が画像読み取りの副走査方向に曲面状になるようにする手段に相当する。
【００６１】
また、図１のＣＰＵ３８がＣＣＤ３０、ＣＩＳ１５、スキャナモータ３１を含む各部を制御することにより、上記ハレーションを起こさない照射位置を上記光源の通常の位置とし、上記ハレーションが起きたときの画像を読み取る際に、上記光源を上記画像読み取り面に照射した光によってハレーションを起こす予め設定された照射位置まで画像読み取りの副走査方向へ移動させる手段の機能も果たす。
【００６２】
さらに、図１のＣＰＵ３８がスキャナモータ３１を含む各部を制御することにより、上記原稿反転手段によって原稿を反転させる際の原稿の搬送スピードを一時的に高速化する手段の機能を果たす。
また、図１のＣＰＵ３８が、上記ハレーションが起きたときの画像について画像読み取りの副走査方向のライン間隔を補正する補正手段の機能を果たす。
【００６３】
さらに、図１の光沢検知部３５は、上記読取手段によって読み取った上記ハレーションが起きたときと起きないときの両画像の反射率の差分が所定値以上有る部分を上記原稿の光沢部分として検知する手段の機能も果たす。
また、図１の光沢検知部３５は、上記読取手段によって読み取った上記ハレーションが起きたときの画像の反射率に対する出力特性と、上記読取手段によって読み取った上記ハレーションが起きないときの画像の反射率に対する出力特性との差異を補正する手段の機能も果たす。
【００６４】
さらに、図１の光沢検知部３５は、上記読取手段によって読み取った上記ハレーションが起きたときの画像の反射率に対する出力特性と、上記第２読取手段によって読み取った上記ハレーションが起きないときの画像の反射率に対する出力特性との差異を補正する手段の機能も果たす。
【００６５】
次に、上記画像読取装置１における光沢検知処理を説明する。
図３は、図２に示した画像読取装置１の搬送ドラム１１と光源２４を含む周辺部分の拡大図である。
図５は、図１に示した処理部３２による光沢検知処理を示すフローチャート図である。
図６は、図１に示した光沢検知部３５における光沢領域識別処理の説明に供する画像例を示す図である。
【００６６】
ユーザからの指示、もしくは自動開始などにより、光沢検知読取が命令されると、図５に示すように、図１のＣＰＵ３８は、まず、通常読み取りと同様に図２の光源２４を点灯し（ステップ（図中「Ｓ」で示す）１）、図２の第１キャリッジ（図５中には「キャリッジ」と記載する）２３を基準白板２１の下に移動し、基準白板２１を読み取り、その画像データ（基準白板画像データ）を取得する（Ｓ２）。
【００６７】
次に、キャリッジを移動させて、図２の光源２４を画像読み取り面に照射した光によってハレーションを起こす照射位置である光沢検知位置に移動させる（Ｓ３）。
次に、原稿Ｐを搬送すると、図３に示す曲面状の背景板６０により、光源２４から照射した光に対して原稿Ｐの画像読み取り面（表面）が画像読み取りの副走査方向に曲面状になるように屈曲させるため、この状態で原稿Ｐに光を照射すると、画像読み取り面（表面）の光沢領域では正反射成分が強く出て、ハレーションを起こした状態の表面の画像データ（表面ハレーション画像データ）を取得する（Ｓ４）。
【００６８】
なお、原稿Ｐ上のハレーションを起こす照射位置は、使用する光源と、自動原稿搬送装置の光学系の構成によってそれぞれ異なるため、画像読取装置１の設計段階で調べて設定しておく。
【００６９】
次に、原稿Ｐの表面の画像読み取り面を読み取った後、図２の光源２４を消灯する（Ｓ５）。
そして、裏面も光沢検知するか否かを判断し（Ｓ６）、原稿Ｐの裏面に対しても光沢検知が対象となっている場合（Ｓ６でＹの場合）は、図２に示した原稿Ｐの搬送方向下流側に配置されているＣＩＳ１５により、原稿Ｐの裏面を通常に読み取り、その画像データ（通常画像データ）を取得する（Ｓ７）。このＣＩＳ１５で取得した画像データはとくにハレーションを起こしていない通常状態の画像となる。
【００７０】
また、原稿Ｐの裏面に対しても光沢検知が対象となっていない場合（Ｓ６でＮの場合）は、上記の裏面読取のステップ７の処理は実施せず、その後、原稿Ｐを排紙口前の原稿反転機構１６に搬送し、原稿反転機構１６によって原稿Ｐの表裏面を反転させる（Ｓ１８）。
【００７１】
次に、表裏が反転した状態で原稿Ｐが再度光源２４の方へ搬送していくが、上述のように裏面も読取対象となっている場合には、この裏面に対しても、光沢検知位置において、光源２４を点灯し（Ｓ９）、図２の第１キャリッジ（図５中には「キャリッジ」と記載する）２３を基準白板２１の下に移動し、基準白板２１を読み取り、その画像データ（基準白板画像データ）を取得する（Ｓ１０）。
【００７２】
次に、キャリッジを移動させて、図２の光源２４を画像読み取り面（原稿の裏面）に照射した光によってハレーションを起こす照射位置である光沢検知位置に移動させる（Ｓ１１）。
【００７３】
次に、原稿Ｐを搬送すると、図３に示す曲面状の背景板６０により、光源２４から照射した光に対して原稿Ｐの画像読み取り面（裏面）が画像読み取りの副走査方向に曲面状になるように屈曲させるため、この状態で原稿Ｐに光を照射すると、画像読み取り面の光沢領域では正反射成分が強く出て、ハレーションを起こした状態の裏面の画像データ（裏面ハレーション画像データ）を取得する（Ｓ１２）。
【００７４】
次に、原稿Ｐの裏面の画像読み取り面を読み取った後、図２の光源２４を消灯する（Ｓ１３）。
そして、図２に示した原稿Ｐの搬送方向下流側に配置されているＣＩＳ１５により、原稿Ｐの表面を通常に読み取り、その画像データ（通常画像データ）を取得する（Ｓ１４）。このＣＩＳ１５で取得した画像データはとくにハレーションを起こしていない通常状態の画像となる。
その後、光沢領域識別処理を実行する（Ｓ１５）。
【００７５】
次に、この光沢領域識別処理について説明する。
上記各ステップ（Ｓ４、Ｓ７、Ｓ１２、Ｓ１４）で取得した画像データは、図１に示した光沢検知部３５のメモリ３７に保存しており、原稿Ｐの表面の光沢領域の検知には、上記表面ハレーション画像データと表面の通常画像データの２つを使って、また、原稿Ｐの裏面の光沢領域の検知には、上記裏面ハレーション画像データと裏面の通常画像データの２つを使って、それぞれ差分演算部３６によって演算処理をし、その演算処理結果に基いて光沢領域を検知する。
【００７６】
上記演算処理の内容については、例えば、図６の（ａ）に示す原稿Ｐの画像は、図中点線枠内部分で示す光沢塗布部分（光沢のあるパターン）の画像を含み、図中の（ｎ，ｍ）は原稿Ｐ上の主走査方向ｎ画素目、副走査方向ｍライン目の画素位置である。
また、図６の（ｂ）に示す原稿ＰのＤ（ｎ，ｍ）は、図２のＣＩＳ１５で読み取ったとき、又は光源２４の光Ｌが通常読取位置に照射される位置でＣＣＤ３０で読み取ったときの反射光レベルを示している。
【００７７】
さらに、図６の（ｃ）に示す原稿ＰのＨ（ｎ，ｍ）は、光源２４の光Ｌが光沢検知位置に照射される位置でＣＣＤ３０で読み取ったときの反射光レベルを示している。この場合、原稿Ｐの画像読取り面はハレーションを起こしており、光沢塗布部分は光沢を帯びている。
また、後述するリニアリティ差分値をＰ０（Ｄ（ｎ，ｍ））とし、（Ｄ（ｎ，ｍ）＋Ｐ０（Ｄ（ｎ，ｍ）））−Ｈ（ｎ，ｍ）の演算結果をＰ（ｎ，ｍ）とする。
【００７８】
ここで、Ｐ０（Ｄ（ｎ，ｍ））はＣＩＳ１５で取得した画像と光沢検知位置で取得した画像との光学系の差異で生じるレベル差であり、これについては、事前に画像読取装置１の製造や工程の段階で、特定のグレースケールチャート（非光沢）を上記光沢検知位置で読み取らせ、ＣＩＳ１５での読み取り画像、光沢検知位置での読み取り画像を取得し、図７の通常読取画像リニアリティの近似直線と光沢検知位置読取画像リニアリティの近似直線で示すように、その特定の各反射率（例えば、２０ポイント）での各出力値、およびその近似直線の情報を図１のメモリ３７に格納しておく。
【００７９】
これらのリニアリティの近似直線の情報で、例えば、反射率（画素レベル）Ｘでの差分値は即ち、同じ反射率（画素レベル）ＸをＣＩＳ１５で読み取らせた画像と光沢検知位置面でＣＣＤ３０を含む縮小光学系で読み取らせた画像との元々の光学系の差に相当する差異や屈曲による読取面からの浮きによるレベル変化Ｐ０（Ｘ）となる。
すなわち、上記（Ｄ（ｎ，ｍ）＋Ｐ０（Ｄ（ｎ，ｍ）））は、原稿ＰをＣＩＳ１５で読み取ったある部分の反射光レベルのＤ（ｎ，ｍ）が光沢検知位置で読み取らせた場合のハレーションを起こさない状態での反射光レベルの予測値となる。
【００８０】
そして、予測値（Ｄ（ｎ，ｍ）＋Ｐ０（Ｄ（ｎ，ｍ）））に対して、実際に光沢検知位置で読み取らせた画像部分の反射光レベルのＨ（ｎ，ｍ）との差分、（Ｄ（ｎ，ｍ）＋Ｐ０（Ｄ（ｎ，ｍ）））−Ｈ（ｎ，ｍ）がほぼ０になるとハレーションが起きていないと判断できる。
また、光沢部分は光学系の差であるＰ０（Ｄ（ｎ，ｍ））に加えて、ハレーションによるレベル変化が加わるため、差分（Ｄ（ｎ，ｍ）＋Ｐ０（Ｄ（ｎ，ｍ）））−Ｈ（ｎ，ｍ）は０ではなく、特定の値をもつ。
【００８１】
この特定の値がα×Ｄ（ｎ，ｍ）以上になった場合に、光沢部分のハレーションによるレベル変化が加わっていると判断し、その（ｎ，ｍ）の画素を光沢画素と判断し、光沢画素を１にする。
一方、特定の値がα×Ｄ（ｎ，ｍ）以上でない場合は、ハレーションによるレベル変化ではなく、単純に光学系の差によるものと判断し、非光沢画素を０として、２値化処理を行う。
【００８２】
上記α×Ｄ（ｎ，ｍ）は即ち、反射光レベルのＤ（ｎ，ｍ）に対するハレーション発生によるレベル変化量の最小値であり、αはハレーションの度合に応じて決定する補正係数であり、光沢を誤検知しないように予め設計しておく。
よって、上記２値化処理後の演算結果は、図６の（ｄ）に示す原稿Ｐの画像中のＧ（ｎ，ｍ）において、光沢領域、非光沢領域を識別することができる。
なお、画像取得時にメモリ３７に保存する際にデータ量が膨大となり、保存や演算処理に時間がかかる場合は上記検知の精度が落ちない範囲で圧縮処理等を実施してもよい。
【００８３】
また、光沢検知位置での画像読み取りは原稿Ｐの画像読み取り面が屈曲しているため、取得したハレーション画像はＣＣＤ３０のＲＧＢライン間隔が、通常の画像よりも広くなっている。
そこで、光沢検知部３５は、ハレーション画像に対して通常のライン間補正の読み出しタイミングではなく、上記屈曲に応じたライン間補正の読み出しタイミングを事前に適用し、上記演算処理を実施する。
【００８４】
上記読み出しタイミングは、自動原稿搬送装置の光学系、形状、ＣＣＤ３０の構成によって広がるライン間隔が異なるため、ハレーション発生位置と同様に設計段階で決定しておく。
こうして、光沢検知部３５によって検知した光沢領域の情報を、ＣＰＵ３８は用途に応じて、その位置情報などを画像や表にして結果を出力する。
【００８５】
次に、上記演算に用いる式を列挙する。
Ｐ（ｎ，ｍ）＝（Ｄ（ｎ，ｍ）＋Ｐ０（Ｄ（ｎ，ｍ）））−Ｈ（ｎ，ｍ）
Ｐ（ｎ，ｍ）：画像読み取りの主走査方向ｎ画素目と副走査方向ｍライン目の画素の反射光レベルの差分演算後の値
【００８６】
Ｄ（ｎ，ｍ）：画像読み取りの主走査方向ｎ画素目と副走査方向ｍライン目の画素の反射光レベル（ハレーションを起こしていない通常読取画像）
Ｈ（ｎ，ｍ）：画像読み取りの主走査方向ｎ画素目と副走査方向ｍライン目の画素の反射光レベル（ハレーションを起こした読取画像）
Ｐ０（Ｘ）：予め求めた専用の非光沢チャートで抽出した画素の反射光レベルＸでの工学系の差異によるリニアリティ差分値
【００８７】
｜Ｐ（ｎ，ｍ）｜≧｜α×Ｄ（ｎ，ｍ）｜の場合、Ｇ（ｎ，ｍ）＝１（光沢画素）
｜Ｐ（ｎ，ｍ）｜＜｜α×Ｄ（ｎ，ｍ）｜の場合、Ｇ（ｎ，ｍ）＝０（非光沢画素）
Ｇ（ｎ，ｍ）：画像読み取りの主走査方向ｎ画素目と副走査方向ｍライン目の画素の光沢判定結果を示す値
α：ハレーションの度合いに応じて決定する閾値補正係数
【００８８】
次に、全ての原稿を読み取ったか否かを判断し（Ｓ１６）、読み取ってなければ（Ｓ１６でＮの場合）、最初の処理に戻って上述の処理を繰り返し、他の読取原稿においても、光沢検知読取が対象の場合は通常のシートスルー複数枚原稿読取と同様に順次各原稿を搬送していき、光沢領域と非光沢領域の識別を行う。
また、全ての原稿を読み取ったと判断したら（Ｓ１６でＹの場合）、キャリッジを光沢検知位置からホームポジションに戻し（Ｓ１７）、この光沢検知処理を終了する。
【００８９】
次に、上述の処理では、自動原稿搬送装置２にＣＩＳ１５と原稿反転機構１６の両方が設けられた画像読取装置１について説明したが、ＣＩＳ１５がない自動原稿搬送装置が設けられた画像読取装置についても実施可能である。
【００９０】
そこで、図２に示した画像読取装置１について、ＣＩＳ１５とそのＣＩＳ１５による画像読み取りの機能を用いない場合の例を説明し、ＣＩＳがない自動原稿搬送装置が設けられた画像読取装置での例の説明に代える。
図４は、図２に示した画像読取装置１の搬送ドラム１１と光源２４を含む周辺部分の拡大図である。図８は、図１に示した処理部３２による他の光沢検知処理を示すフローチャート図である。
【００９１】
ユーザからの指示、もしくは自動開始などにより、光沢検知読取が命令されると、図８に示すように、図１のＣＰＵ３８は、まず、通常読み取りと同様に図２の光源２４を点灯し（ステップ（図中「Ｓ」で示す）２１）、図２の第１キャリッジ（図５中には「キャリッジ」と記載する）２３を基準白板２１の下に移動し、基準白板２１を読み取り、その画像データ（基準白板画像データ）を取得する（Ｓ２２）。
【００９２】
次に、通常読み取りと同様にキャリッジを通常読取位置に移動させて、図２の光源２４を画像読み取り面に照射した光によってハレーションを起こさない照射位置である通常読取位置に移動させ、原稿Ｐの表面を読み取り、ハレーションを起こさない画像データ（通常画像データ）を取得する（Ｓ２３）。
【００９３】
この原稿Ｐの搬送で、図３に示す曲面状の背景板６０により、光源２４から照射した光に対して原稿Ｐの画像読み取り面（表面）が画像読み取りの副走査方向に曲面状になるように屈曲させるため、この状態で原稿Ｐに光を照射すると、その照射位置によっては正反射成分が強く出て、ハレーションを起こしてしまうが、図４に示すように、曲面状の背景板６０の通常読取位置に光源２４からの光Ｌを照射するようにすれば、シート原稿用ガラス２２と原稿Ｐが平行になっている状態で読み取られるため、この位置ではハレーションは起きない。
【００９４】
原稿Ｐの通過後、光源２４を消灯し（Ｓ２４）、表面のみ光沢検知するか否かを判断する（Ｓ２５）。
原稿Ｐの表面のみ光沢検知でなければ（Ｓ２５でＮの場合）、裏面を読み取ったか否かを判断し（Ｓ３７）、読み取ったなら（Ｓ３７でＹの場合）Ｓ２８へ進み、読み取ってなければ（Ｓ３７でＮの場合）原稿Ｐを排紙口前の原稿反転機構１６に搬送し、原稿反転機構１６によって原稿Ｐの表裏面を反転させ（Ｓ３８）、Ｓ２１〜Ｓ２５で原稿Ｐの裏面を読み取り、ハレーションを起こさない画像データ（通常画像データ）を取得する。
【００９５】
一方、原稿Ｐの表面のみ光沢検知するなら（Ｓ２５でＹの場合）、原稿Ｐを排紙口前の原稿反転機構１６に搬送し、原稿反転機構１６によって原稿Ｐの表裏面を反転させる（Ｓ２６）。このときは表面から裏面にするためだけの原稿搬送になるため、この期間のみ生産性維持のために原稿Ｐを痛めない範囲で原稿搬送のスピードを高速化するように図１のＣＰＵ３８からスキャナモータ３１に制御信号を送る（Ｓ２７）。
【００９６】
この後、原稿Ｐを反転し（Ｓ２８）、再度表面での読み取りになるが、上記同様に光源２４を点灯し（Ｓ２９）、図２の第１キャリッジ（図５中には「キャリッジ」と記載する）２３を基準白板２１の下に移動し、基準白板２１を読み取り、その画像データ（基準白板画像データ）を取得する（Ｓ３０）。
【００９７】
次に、キャリッジを移動させて、図２の光源２４を画像読み取り面（原稿の表面）に照射した光によってハレーションを起こす照射位置である光沢検知位置に移動させ、原稿Ｐを搬送すると、図３に示す曲面状の背景板６０により、光源２４から照射した光に対して原稿の画像読み取り面（表面）が画像読み取りの副走査方向に曲面状になるように屈曲させるため、この状態で原稿Ｐに光を照射すると、画像読み取り面の光沢領域では正反射成分が強く出て、ハレーションを起こした状態の画像データ（ハレーション画像データ、この場合は表面のハレーション画像データ）を取得する（Ｓ３１）。
【００９８】
次に、図２の光源２４を消灯し（Ｓ３２）、表面のみ光沢検知するか否かを判断する（Ｓ３３）。
原稿Ｐの表面のみ光沢検知でなければ（Ｓ３３でＮの場合）、裏面を読み取ったか否かを判断し（Ｓ３９）、読み取ったなら（Ｓ３９でＹの場合）Ｓ３４へ進み、読み取ってなければ（Ｓ３９でＮの場合）原稿Ｐを排紙口前の原稿反転機構１６に搬送し、原稿反転機構１６によって原稿Ｐの表裏面を反転させ（Ｓ４０）、Ｓ２９〜Ｓ３３で原稿Ｐの裏面を読み取り、ハレーションを起こした画像データ（ハレーション画像データ、この場合は裏面のハレーション画像データ）を取得する。
【００９９】
一方、原稿Ｐの表面のみ光沢検知するなら（Ｓ３３でＹの場合）、また、裏面の画像を読み取ったなら（Ｓ３９でＹの場合）、光沢領域識別処理を実行する（Ｓ３４）。この光沢領域識別処理は、上述と同様なので、ここではその説明を省略する。
【０１００】
なお、ここでの光沢領域識別処理についても、事前に画像読取装置の製造や工程の段階で、特定のグレースケールチャート（非光沢チャート）を上記光沢検知読取で読み取らせ、通常読取位置での読取画像、光沢検知位置での読取画像を取得し、図７に示すようにその特定の各反射率（図では２０ポイント）での各出力値を光沢検知部３５のメモリ３７内に格納しておく。
【０１０１】
次に、全ての原稿を読み取ったか否かを判断し（Ｓ３５）、読み取ってなければ（Ｓ３５でＮの場合）、最初に戻って上述の処理を繰り返し、読み取ったら（Ｓ３５でＹの場合）、キャリッジを光沢検知位置からホームポジションに戻し（Ｓ３６）、この光沢検知処理を終了する。
【０１０２】
このようにして、原稿反転動作が増えるため、ＣＩＳ１５と原稿反転機構１６の両方が設けられた自動原稿搬送装置に比べると、その生産性は劣るが、ＣＩＳがない自動原稿搬送装置についても１回のジョブで自動的に複数回読取をすることで、光沢領域識別が可能である。
【０１０３】
この実施形態の画像形成装置では、その画像読取装置によって、システムの膨大化、装置のコストアップを抑えつつ、現状のメカ構成で、光沢の有無で作られたパターンを正しく抽出することができる。
また、原稿搬送時の読取面直上の背景板を曲面状にすることで、読取原稿を敢えて屈曲させた状態で読み取らせることにより、画像上で確実にハレーションを発生させることができる。
【０１０４】
さらに、曲面状の背景板でのシートスルー原稿搬送時の際に、ハレーションが起こる位置までキャリッジを移動させ、その位置で読取を実行することにより、ハレーション発生時の画像を確実に取得することができる。
【０１０５】
また、原稿の光沢、非光沢部分を識別するためには、ハレーション発生時の画像のほかに比較用に通常の読み取りの画像を同時に取得しないといけないが、ＣＩＳと原稿反転機構を用いて、同一原稿に対して、ハレーション発生時読取画像データ、通常のＣＩＳでの読取画像データを取得することで、ユーザが２回読取ジョブを行うことなく、一回の読取ジョブで２つの画像を取得することができる。
【０１０６】
さらに、原稿の光沢、非光沢部分を識別するためには、ハレーション発生時の画像の他に通常読取の画像を同時に取得しないといけないが、ＣＩＳを使わずに、原稿反転機構で原稿反転を複数回行い、同一原稿面に対して、１度のジョブ中にハレーション発生時読取画像データ、通常の読み取りでの読取画像データを取得することで、ユーザが２回読取ジョブを行うことなく、一回の読取ジョブで２つの画像を取得することができる。
【０１０７】
また、従来の原稿搬送装置は原稿反転から原稿の読み取りの間に一時的に搬送スピードを高速化させているが、表面のみ光沢検知する場合には、再度表面で原稿搬送するために、原稿反転機構を２回行うが、１回目反転から２回目反転の間は読取を行わない原稿搬送のみになるため、生産性維持のためにこの期間は原稿搬送のスピードを原稿を痛めない範囲で高速化することができる。
【０１０８】
さらに、通常の読み取りよりも遠くの位置で屈曲した状態で原稿を読み取ることになるため、画像上のＲＧＢのライン間隔が通常読み取り時よりも長くなる。
通常のメモリ等を使って、このライン間隔を補正するが、ハレーション発生時の読取時はこのハレーション発生時用の補正設定に自動的に切り替えることにより、ラインずれを補正することができる。
【０１０９】
また、ハレーション発生時画像と通常画像を差分演算をすることにより、ハレーション発生時と通常時との差異、すなわちハレーション発生部分を検知することにより、どの部分が光沢部分かを検知することができる。
【０１１０】
さらに、画像読取装置で原稿を読み取り、差分演算をするにあたり、ＣＩＳによる読み取りと光沢検知位置での縮小光学系での読み取りでは光学系が違うため、元々の原稿の反射率に対する出力特性（リニアリティ）に差異が生じており、光沢検知の差分演算の結果に対して、光沢、非光沢の判定をするのに上記を考慮しないと判定の精度が落ちる。
【０１１１】
そこで、専用の非光沢チャートをＣＩＳおよび光沢検知位置での読み取りでそれぞれ読み取らせることにより、それらの光学系でのリニアリティの差を出力し、光沢検知部のメモリに格納することで、光沢検知の精度を上げることができる。
【０１１２】
また、画像読取装置で原稿を読み取り、差分演算をするにあたり、通常読取位置での読取と光沢検知位置での読取では光学系が違うため、元々の原稿の反射率に対する出力特性（リニアリティ）に差異が生じており、光沢検知の差分演算の結果に対して、光沢、非光沢の判定をするのに上記を考慮しないと判定の精度が落ちる。
【０１１３】
そこで、専用の非光沢チャートを通常読取位置、および光沢検知位置での読み取りでそれぞれ読み取らせることにより、それらの光学系でのリニアリティの差を出力し、光沢検知部のメモリに格納することで、光沢検知の精度を上げることができる。
【０１１４】
以上が光沢検知の説明であるが、その光沢検知の機能を備えた画像読取装置１においては、これによる付加機能も実現できる。
以下、その付加機能を設ける第１乃至第６実施例について説明する。
〔第１実施例〕
まず、第１実施例について説明する。
【０１１５】
第１実施例では、画像読取装置１が、上述したように読み取った原稿中に透明トナーで形成された光沢部分を検知して、その検知した結果である光沢検知画像から、宛先情報を認識する。そして、その宛先に、ハレーションを起こさない通常の読み取りで得た原稿の画像をファクシミリ送信やＥメール送信（これらを以下「宛先自動検知送信」と称す）をする。それによって、ユーザが操作部上にて宛先を入力する作業の省略、および宛先間違いによる誤発信を防止できる。なお、上記宛先情報は宛先の数字又は文字（英字等）をそのまま透明トナーで数字画像又は文字画像として印刷されているものでもよいし、バーコードやＱＲコード（登録商標）など、ユーザが目で見ただけでは判別できないコード情報を透明トナーで印刷されているものでもよい。透明トナーによる宛先情報の形成方法については後述する。
【０１１６】
図１１は、図２に示した画像読取装置１の宛先自動検知送信機能を実現するための制御系の構成例を示すブロック図である。
画像読取装置１は、図１のＣＩＳ１５、ＣＣＤ３０、処理部３２、およびスキャナモータ３１を有する読取部３の他に、コントローラ部２０１、変換部２０２、および操作部２０３を備えている。
【０１１７】
コントローラ部２０１は、読取部３の処理部３２から入力された画像（画像データ）や情報に対して演算や画像処理を実施するＣＰＵやＡＳＩＣ（Application Specific Integrated Circuit）等を備えている。このコントローラ部２０１は、転写紙に形成すべき画像を取得する画像取得手段としての機能を有している。
【０１１８】
変換部２０２は、ＯＣＲ（Optical Character Recognition）もしくはデコーダを保有するソフトウェアが組み込まれているＣＰＵが搭載されている。
ＯＣＲは、処理部３２から取得した光沢検知画像が数字画像又は文字画像である場合にこれを数字又は文字の情報である数字文字情報に変換するためのものである。
デコーダは、処理部３２から取得した光沢検知画像がコード情報の画像である場合にこれを数字文字情報に変換するためのものである。コード情報と数字文字情報との対応関係を記憶した変換テーブルであってもよい。
【０１１９】
上述のように宛先情報を示す光沢検知画像が、数字画像又は文字画像そのものであればＯＣＲを用いた変換処理（ＯＣＲ処理）を、コード情報であればデコーダを用いた変換処理をそれぞれ実施する。
操作部２０３は、ユーザによる各種情報の入力を受け付ける情報受付手段である入力部と、情報を表示してユーザに提示する表示部と、操作部２０３全体を制御するＣＰＵとを備えている。なお、外付けの操作部を用いてもよいことは勿論である。
【０１２０】
図１２は、図１１に示した画像読取装置１の各部による宛先自動検知送信処理の一例を示すフローチャート図である。この宛先自動検知送信処理の機能が、読み取った原稿中の光沢検知部３５が検知した光沢部分が示す宛先に、前述した第１の読み取りで読み取ったその原稿の画像（通常の画像）を送信する送信手段としての機能に相当する。
【０１２１】
ユーザが操作部２０３上から宛先自動検知送信を指示すると、処理部３２がその指示を受け付けて図１２の処理を開始し、まず、透明トナーにて宛先情報が付与された読み取り対象の原稿に対して図５又は図８によって説明した光沢検知処理（光沢検知読み取り）を実施する（Ｓ５１）。
この光沢検知処理を行うと、図６の（ｃ）に示したような透明トナーで形成された光沢部分（宛先情報部分）の検知結果である光沢検知画像として処理部３２から出力され、この光沢検知画像は変換部２０２に入力されるので、その変換部２０２がその光沢検知画像を取得して上記のＯＣＲ又はデコーダを用いた変換処理で数字文字情報に変換する（Ｓ５２）。
【０１２２】
この変換された数字文字情報は、コントローラ部２０１に送られるため、そのコントローラ部２０１は、その数字文字情報を宛先情報として検知して宛先を設定し、その宛先に、処理部３２からの読み取り対象の原稿から読み取られた通常の画像（画像データ）を図示しないＬＡＮ（ローカルエリアネットワーク）又はインタネット等の通信線を介して送信する（Ｓ５３）。なお、変換処理はコントローラ部２０１のＣＰＵで実行できる場合には、そこでＯＣＲ又はデコーダを用いた変換処理と、宛先設定を一括で行ってもよい。
その後、宛先への送信が成功したか失敗したかを判断し、送信が成功すると、その送信実施結果を操作部２０３へ通知して、その操作部２０３上に「送信成功」のメッセージを表示させる（Ｓ５４，Ｓ５５）。
【０１２３】
また、宛先への送信が失敗した場合には、その送信実施結果を操作部２０３へ通知して、その操作部２０３上に「送信失敗」のメッセージを表示させる（Ｓ５６）。このとき、従来と同様に、断線によるデータ通信の失敗や宛先番号が使われていないことによる送信エラーの他に、ＯＣＲやデコーダを用いた変換処理にて文字として検知されなかった場合や使われていない宛先が指定されている場合も、上記送信エラーと同じく、操作部２０３上に「送信失敗」のメッセージを表示させるとよい。
ステップＳ５５又はＳ５６の処理が完了すると、図１２の処理を終了する。
【０１２４】
〔第２実施例〕
次に、第２実施例について説明する。
第２実施例では、画像読取装置１が、前述したように読み取った原稿中に透明トナーで形成された光沢部分が示すＩＤ情報を検知することで原稿の真贋判定を実施する。「ＩＤ情報」は、印刷者や日付などを示す、上述した宛先情報と同様の数字又は文字の情報である数字文字情報、もしくはバーコード等の目視で解読できない暗号化されたコード情報で示す。宛先情報と同じく透明トナーによるＩＤ情報の形成方法については後述する。なお、ＩＤ情報以外の識別情報を使用してもよい。
【０１２５】
図１３は、図２に示した画像読取装置１の原稿真贋判定機能を実現するための制御系の構成例を示すブロック図であり、図１１と対応する部分には同一符号を付してそれらの説明を省略する。
画像読取装置１は、図１のＣＩＳ１５、ＣＣＤ３０、処理部３２、およびスキャナモータ３１を有する読取部３の他に、コントローラ部２０１、操作部２０３、および記憶部２０４を備えている。
【０１２６】
記憶部２０４は、後述する登録情報を記憶するフラッシュメモリ又はハードディスク装置等の不揮発性記憶手段である。
読み取り対象の原稿にＩＤ情報を付与したユーザは、そのＩＤ情報と同じ情報を予め操作部２０３上から入力し、それを記憶部２０４に記憶させる。
図１４は、図１３に示した画像読取装置１の各部による原稿真贋判定処理の一例を示すフローチャート図である。この原稿真贋判定処理の機能が、読み取った原稿中の光沢検知部３５が検知した光沢部分が示す識別情報に基づき、その読み取った原稿の真贋を判定する真贋判定手段としての機能に相当する。
【０１２７】
ユーザが操作部２０３上から原稿真贋判定を指示すると、処理部３２がその指示を受け付けて図１４の処理を開始し、まず、透明トナーにてＩＤ情報が付与された読み取り対象の原稿に対して、図５又は図８によって説明した光沢検知処理を実施する（Ｓ６１）。
この光沢検知処理を行うと、透明トナーで形成されたＩＤ情報を示す光沢検知画像が処理部３２から出力され、この光沢検知画像はコントローラ部２０１に入力される。よって、コントローラ部２０１がその光沢検知画像を取得して、その光沢検知画像が示すＩＤ情報を記憶部２０４内の登録情報とを比較して原稿の真贋判定を行う（Ｓ６２，Ｓ６３）。このとき、コントローラ部２０１内の変換部（図１１の変換部２０２と同等）が、第１実施例と同様の変換処理を行う。原稿の真贋判定の具体例については、後述する。
【０１２８】
そして、取得した光沢検知画像が示すＩＤ情報が登録情報と一致した場合には、原稿を真と判定して、その原稿真贋判定結果を操作部２０３へ通知して、その操作部２０３上に表示させる（Ｓ６４）。
その表示内容を見たユーザは、その後の任意の処理（印刷，送信等）を操作部２０３から指定することにより、その指定をコントローラ部２０１が受け付けてその指定された処理を実施する（Ｓ６５）。その処理としては、処理部３２からの読み取り対象の原稿から読み取られた画像データの印刷（コピー）、送信、保存等がある。
【０１２９】
逆に、ＩＤ情報を付与したユーザではなく、他のユーザが通常スキャンにて無断にコピーした原稿など、ＩＤ情報が付与されていない原稿に対して光沢検知処理を行った場合にはＩＤ情報がなく、登録情報と一致することがないため、贋と判定する。その場合、その原稿真贋判定結果を操作部２０３へ通知して、その操作部２０３上に「贋」のメッセージを表示させる（Ｓ６６）。登録情報を知らない（印刷できない）ユーザが印刷した原稿など、正しいＩＤ情報が付与されていない原稿に対して光沢検知処理を行った場合も、登録情報と一致しないため、同様に「贋」のメッセージを表示させる。
ステップＳ６５又はＳ６６の処理が完了すると、図１４の処理を終了する。
【０１３０】
ここで、図１４のステップＳ６２，６３の原稿の真贋判定の具体例について説明する。
図１５は、原稿の真贋判定を行う際の各座標の読取値の説明に供する画像例を示す図である。
【０１３１】
コントローラ部２０１は、取得した光沢検知画像が示すＩＤ情報（変換処理後のＩＤ情報）、例えば図１５の（ａ）に示す透明トナーで形成された光沢検知画像が示すＩＤ情報「ＩＤ１２３４」を付加した画像に対して座標毎の読取値Ｇ（ｎ，ｍ）と同図の（ｂ）に示す登録情報の同じ座標の値Ｒ（ｎ，ｍ）とでそれぞれ差分Δ（ｎ，ｍ）を取る（Ｓ６２）。
【０１３２】
そして、その差分合計ΣΔが所定の閾値Δｔｈ未満であるか否かを判断し（Ｓ６３）、閾値Δｔｈ未満なら真、閾値Δｔｈ以上なら贋と判定して、原稿真贋判定結果を操作部２０３に表示させる。閾値Δｔｈは、画像読取装置の特性（読取誤差，環境変化）に応じて予め対応する数値を記憶部２０４に記憶して設定しておく。
上記演算に用いる式を以下に示す。
【０１３３】
Δ（ｎ，ｍ）＝｜Ｇ（ｎ，ｍ）−Ｒ（ｎ，ｍ）｜
Ｇ（ｎ，ｍ）：光沢検知画像の座標（ｎ，ｍ）でのレベル（０ｏｒ１）
Ｒ（ｎ，ｍ）：登録情報の座標（ｎ，ｍ）でのレベル（０ｏｒ１）
Δ（ｎ，ｍ）：座標（ｎ，ｍ）での光沢検知画像と登録情報との差分
ΣΔ：差分の全画素合計値
Δｔｈ：登録情報との真贋を判定する差分合計値の閾値（＜Δｔｈ：真、≧Δｔｈ：贋）
【０１３４】
なお、以上のような座標単位の比較ではなく、光沢検知画像に対して第１実施例のようなＯＣＲやデコーダによる処理を行い、文字数字情報に変換してから、記憶部２０４内の登録情報と比較するようにしてもよい。この場合、記憶部２０４においても、登録情報は文字数字情報として登録する。
【０１３５】
以上が画像読取装置１側に関する付加機能の説明であったが、画像形成機能も利用して、この画像読取装置１を搭載した画像形成装置１００によって実現する付加機能も考えられる。以下に説明する第３〜第６実施例は、このような付加機能の例である。
なお、近年、透明であって且つ光沢を持った媒質をトナーとして用いた印刷装置が提案されてきている。第３〜第６実施例では、図２に示した感光体ドラム４４および現像ユニット４５を含む作像部が実際には、例えばＣ（シアン），Ｍ（マジェンタ），Ｙ（イエロー），Ｋ（ブラック）の４色（有色）のトナーによる画像形成と、転写紙の全面に透明トナーによる画像形成を実行できる構成になっているものとする。
【０１３６】
例えば、それぞれ５個の感光体ドラム４４および現像ユニット４５等と、１個の中間転写ベルトを備え、５個の感光体ドラム４４上にそれぞれ形成される５個の静電潜像を５色のトナー（透明トナーを含むものとする）で色版毎に現像し、その各色版のトナー画像を中間転写ベルト上に順次重ね合わせて転写することによりカラー画像形成を行う。あるいは、それぞれ１個の感光体ドラム４４、現像ユニット４５、中間転写ベルト等を備え、１個の感光体ドラム上に順次形成される５個の静電潜像を５色のトナーで色版毎に順次現像し、その各色版のトナー画像を中間転写ベルト上に順次重ね合わせて転写することによりカラー画像形成を行う。なお、上記の感光体ドラムを感光体ベルトに、上記の中間転写ベルトを中間転写ドラムにした画像形成装置であっても構わない。
【０１３７】
〔第３実施例〕
まず、第３実施例について説明する。
図１６は、図２に示した画像形成装置１００の制御系の構成例を示すブロック図であり、図１３と対応する部分には同一符号を付してそれらの説明を省略する。
【０１３８】
この画像形成装置１００では、前述の画像読取装置１の他に、実際に印刷を行う作像部を含むプリンタ部３００を備えている。プリンタ部３００には、Ｃ，Ｍ，Ｙ，Ｋトナーの他に、透明トナーとしてＧ（Gross）のトナーチャンネルが割り当てられている。
コントローラ部２０１は、取得した画像に操作部２０３が受け付けた情報を示す光沢部分を付加した画像をプリンタ部３００に形成させる画像形成制御手段としての機能を有している。
【０１３９】
図１７は、図１６に示した画像形成装置１００が光沢部分を含む原稿の画像を複製（コピー）するときのデータ分離の説明に供する画像例を示す図である。
第３実施例では、画像読取装置１の処理部３２が、前述したように読み取った原稿中に図１７の（ａ）に示すように透明トナーで部分的に光沢部分が形成された原稿に対して、前述した光沢検知処理を実施する。それによって、図１７の（ｂ）に示す通常トナー（Ｃ，Ｍ，Ｙ，Ｋ）の塗布による通常のスキャン画像と、同図の（ｃ）に示す光沢検知画像とがコントローラ部２０１を介してプリンタ部３００に伝送される。（ｃ）に示す光沢検知画像は、上述のように、ハレーションを起こしていない通常読取画像と、ハレーションを起こした読取画像とを比較して検出した、光沢部分の検知結果を示す画像である。
【０１４０】
プリンタ部３００は、転写紙（シート材）に光沢検知画像（光沢部分）を含む画像を形成する画像形成手段に相当し、上記の通常のスキャン画像と光沢検知画像とを受信すると、前述の現像プロセスを経て、通常のスキャン画像に従って通常トナーを付与する他に、光沢検知画像が示す光沢部分に対して透明トナーを付与する。それによって、図１７の（ｄ）に示すように、転写紙に対し原稿と同じ位置に自動で通常トナーと透明トナーを付与する印刷を行い、その印刷物を複製物として出力することができる。この印刷を、以下「光沢検知印刷」と云う。
【０１４１】
〔第４実施例〕
次に、第４実施例について説明する。なお、この第４実施例でも、図１６，図１８を参照するものとする。
図１８は、図１６の操作部２０３の表示部に表示される操作画面の一例を示すレイアウト図である。
【０１４２】
第４実施例では、新たな原稿のコピー（画像印刷）時に、印刷者であるユーザが、操作部２０３から前述した宛先情報やＩＤ情報等を任意に決めることができる。
この場合、ユーザが操作部２０３上に操作により、図１８に示す操作画面を表示部上に表示させる。
この操作画面には、プレビュー表示部５００、印字機能キー５０１、情報入力部５０２、方向キー５０３、設定登録キー５０４、パスワード入力部５０５、パスワード設定キー５０６、暗号化キー５０７、取り消しキー５０８、およびＯＫキー５０９が表示されている。
【０１４３】
プレビュー表示部５００は、原稿から読み取ってコントローラ２０１内のＲＡＭ上に展開された画像（スキャン画像）を画像プレビュー（印刷イメージ）として表示することができる。この画像プレビュー上には、後述する指定された印字機能によって印字する情報（印字内容）を表示することもできる。
印字機能キー５０１は、日付情報，ユーザＩＤ、宛先情報，印刷設定情報（後述する）等の情報を印字する各印字機能を選択的に指定するためのものである。
【０１４４】
情報入力部５０２は、印字機能キー５０１によって指定された印字機能によって印字する情報（印字内容）を操作部２０３の入力部の操作によって入力する際の入力枠である。
方向キー５０３は、画像プレビュー上の指定された印字機能によって印字される情報の位置（印字位置）を任意の方向に移動させるためのものである。
設定登録キー５０４は、操作画面上で設定された情報の登録、又はその登録を解除するためのものである。
【０１４５】
パスワード入力部５０５は、認証情報の一つであるパスワードを操作部２０３の入力部の操作によって入力する際の入力枠である。なお、パスワード以外の認証情報を使用してもよい。
パスワード設定キー５０６は、設定した機能を実行するための、パスワード入力部５０５に表示されたパスワードの登録、又はその登録を解除するためのものである。
暗号化キー５０７は、印字機能キー５０１によって指定された印字機能によって印字する情報を暗号化するかしないかを指定するためのものである。
取り消しキー５０８は、入力を取り消すためのものである。
ＯＫキー５０９は、入力を確定するためのものである。
【０１４６】
この第４実施例において、印字機能キー５０１によって指定された印字機能によって印字する情報が操作部２０３の入力部の操作により情報入力部５０２に入力された後、ＯＫキー５０９が指定（押下）されると、操作部２０３内のＣＰＵが、その情報の入力を確定し、画像プレビュー上に表示する。このとき、その情報の印字位置はデフォルト位置である。図１８では、ハッチングによりこの印字位置を示している。
それによって、コントローラ２０１は、ユーザが指定した日付情報，ユーザＩＤ等の情報を指定位置（ユーザが指定した位置）に付加した画像をプリンタ部３００によって転写紙上に印刷させることができる。あるいは、ユーザが指定した宛先情報，印刷設定情報等の他の情報を透明トナーによる光沢部分として指定位置に付加した画像をプリンタ部３００によって転写紙上に印刷させることもできる。
【０１４７】
上記情報の印字位置の指定は、ユーザによる方向キー５０３の指定操作にて行う。なお、設定した情報は、原稿への透明トナーによる印刷の実行時に使用するだけでなく、設定登録キー５０４の指定操作により設定登録をオンにし、ＯＫキー５０９を指定することで、操作部２０３内のＣＰＵにより記憶部２０４に記憶（設定）して登録しておくことができる。よって、前述の宛先自動検知送信や原稿の真贋判定に使用することができる。
【０１４８】
また、印字する宛先情報やＩＤ情報は透明トナーで印字されるが、透明トナーの特性上、角度によっては透明トナーで印字された文字や数字などが人間の目で確認できてしまうため、それを避けたい場合には、原稿上で識別できないようにバーコードなどに暗号化するかしないかをパスワード設定キー５０６の指定操作によるパスワード設定の有無にて選択できるようにすればよい。
【０１４９】
〔第５実施例〕
次に、第５実施例について説明する。なお、この第５実施例でも、図１６，図１８を参照するものとする。
第５実施例では、上述した光沢検知印刷を実施する場合に、透明トナーで形成された光沢部分を含む読み取り対象の原稿に対して特定のユーザのみに複製を許可するパスワード設定機能を備える。
【０１５０】
図１９は、図１６に示した画像形成装置１００の各部によるユーザ認証を含む光沢検知印刷の一例を示すフローチャート図である。この光沢検知印刷の機能が、読み取った原稿中の光沢検知部３５が検知した光沢部分が示す認証情報に基づいてユーザの認証を行い、これが成功した場合に、その読み取った原稿の画像のうち光沢検知部３５が検知した光沢部分に関する処理を許可する認証手段としての機能を果たす。
【０１５１】
透明トナーによる画像を新規に印刷する際に図１８のパスワード入力部５０５にパスワードを印刷者であるユーザが操作部２０３の入力部の操作により入力し、記憶部２０４に記憶（設定）して登録させ、暗号化したコード等を透明トナーにて読み取り対象の原稿に付与しておく。このとき、その付与するコード等を暗号化する場合には、暗号化キー５０７の指定操作により設定登録をオンにする。
【０１５２】
ユーザが操作部２０３上から光沢検知印刷を指示すると、処理部３２がその指示を受け付けて図１９の処理を開始し、まず、透明トナーにて暗号化したコード等が付与された読み取り対象の原稿に対して、図５又は図８によって説明した光沢検知処理を実施する（Ｓ７１）。
【０１５３】
この光沢検知処理を行うと、透明トナーで形成された暗号化したコード等を示す光沢検知画像が処理部３２から出力され、この光沢検知画像はコントローラ部２０１に入力される。よって、コントローラ部２０１がその光沢検知画像を取得して、その光沢検知画像が示す暗号化したコード等をコントローラ部２０１内の変換部（図１１の変換部２０２と同等）が、第１実施例と同様の変換処理を行うことにより、その変換処理の結果から予めパスワードが設定されているか否かを判断する（Ｓ７２）。
【０１５４】
そして、パスワードが設定されていた場合には、図示しないパスワード入力画面を操作部２０３の表示部上に表示させ、ユーザにパスワードの入力を促す（Ｓ７３）。
それによって、ユーザによってパスワードが入力されると、コントローラ部２０１でそのパスワードが予め設定されたパスワード（光沢部分により読み取った原稿に表されていたパスワード）と一致するか否かを判定するパスワードの真贋判定（ユーザ認証）を実施する（Ｓ７４）。
【０１５５】
そして、両パスワードが一致する（ユーザが入力したパスワードが真である）場合には、ユーザの認証が成功したので、光沢検知画像に関する処理である光沢検知画像も含めた印刷を許可し、その印刷を実施する（Ｓ７５）。
両パスワードが一致しない（ユーザが入力したパスワードが贋である）場合、ユーザの認証が失敗したので、光沢検知画像は印刷せず、通常印刷を実施する（Ｓ７６）。
【０１５６】
これによって、透明トナーにてＩＤ情報およびパスワードを付加した原稿の印刷を指示したユーザ（印刷者）以外のユーザ（他のユーザ）が原稿を光沢検知処理にて透明トナー部分（光沢部分）も含めて複製しようとした場合、パスワードを知らなければ光沢部分の含めた複製ができないようになる。なお、認証失敗の場合、原稿の画像の複製を一切できないようにすることも考えられる。
一方、複製に関して制限をかける必要がないときは、印刷時に図１８の操作画面上でパスワードを設定登録しなければ、他のユーザはパスワードの入力が促されることなく、自由に光沢部分を複製することができる。
【０１５７】
なお、上述のような認証処理の結果に応じて、コピーだけでなく、画像の印刷出力、送信（メール、ＬＡＮ経由など）、保存など、任意の動作の許可不許可を制御することが考えられる。この場合において、光沢部分の処理のみを制御するようにしてもよいし、画像全体について制御するようにしてもよい。
【０１５８】
〔第６実施例〕
次に、第６実施例について説明する。なお、この第６実施例でも、図１６，図１８を参照するものとする。
第６実施例では、画像読取装置１を搭載した画像形成装置１００において、印刷時の設定情報である印刷設定情報（カラー／モノクロ，印刷サイズ，濃度，縦横，片面／両面，後処理等）を図１８で示す操作画面上から上述した宛先情報と同様に印刷前に操作画面上で指示し、その印刷設定情報を透明トナーにて光沢部分として印刷時に付与しておく。そして、後にその印刷原稿を複製する際に、光沢検知処理を行うことで、印刷時の光沢部分が示す設定情報を自動で読み込み、その読み込んだ印刷設定情報にて複製を行う。そうすれば、ユーザの印刷設定作業の省略や設定間違いによる印刷ミスを防止することができる。
【０１５９】
ここまで説明してきた実施例によれば、以下の（ａ）〜（ｇ）に示す作用効果を得ることができる。
（ａ）画像処理装置が、読み取った原稿中の光沢検知部が検知した光沢部分が示す宛先に、ハレーションを起こさない配置で読み取ったその原稿の画像を送信する。それによって、ユーザが操作部上から宛先を入れずに画像を送信でき、操作部上からの入力ミスによる宛先間違いを防止することも可能となる。
【０１６０】
（ｂ）画像処理装置が、読み取った原稿中の光沢検知部が検知した光沢部分が示す識別情報に基づき、その読み取った原稿の真贋を判定する。それによって、原稿の真贋を容易に判定することができる。例えば、特定の対象者のみに限定的に配布したアンケートなど、複製されたくないものを回収したとき、その中に通常スキャンにより無断で複製されたものがあった場合、それを光沢部分が示す識別情報の有無にて真贋判定することが可能となる。
【０１６１】
（ｃ）画像処理装置が、読み取った原稿中の前記光沢検知手段が検知した光沢部分が示す認証情報に基づいてユーザの認証を行い、これが成功した場合に、該読み取った原稿の画像のうち光沢検知手段が検知した光沢部分に関する処理を許可する。それによって、認証情報を知らない第３者は光沢部分の情報を利用できないようにすることができる。このことにより、例えば、認証情報を知らない第３者には、光沢部分の情報を複製させず、その複製物を上記（ｂ）における真贋判定で真と判定しないようにすることができる。
【０１６２】
（ｄ）画像処理装置が、読み取った原稿中に光沢検知部が検知した光沢部分が示す設定情報に従った複製を行う。それによって、光沢部分が示す印刷設定情報を含む原稿を印刷した後、その原稿を複製するとき等に、ユーザが操作部上から印刷設定情報を設定せずに前回と同じ設定で複製させることができるので、操作部上からの入力ミスによる設定間違いを防止することが可能となる。
（ｅ）画像処理装置が、読み取った原稿中に光沢検知部が検知した光沢部分の情報に基づき、その光沢部分の画像を透明トナー（透明な材料）でシート材に形成する。そうすれば、透明トナーがある部分に対して原稿と同じ位置に透明トナーを塗布して印刷することによって光沢部分が混在している原稿に対して、光沢部分を忠実に複製することができる。
【０１６３】
（ｆ）画像処理装置が、シート材に形成すべき画像を取得し、その取得した画像に、受け付けた情報を示す光沢部分を付加した画像を、シート材に形成する。そうすれば、上述の真贋判定や認証、あるいは送信先や印刷設定に用いる情報として、任意の情報をシート材上に配置することができる。
（ｇ）画像処理装置が、受け付けた情報を示す光沢部分を付加する際に、その光沢部分をユーザが指定した位置に付加する。そうすれば、特定の角度からだと人間の目にも見えてしまう光沢部分を、原稿上支障のない位置に付加可能にすることにより、その影響を低減できる。
【０１６４】
以上で実施形態の説明を終了するが、この発明において、各部の具体的な構成や動作態様等は、実施形態で説明したものに限るものではない。
例えば、有色トナーとして４色以外の色数の画像形成装置や、トナー以外の材料で画像を形成する画像形成装置にも、この発明を適用可能である。
また、画像読取装置等の他の画像処理装置にもこの発明を適用することができる。
さらに、以上説明してきた実施形態、動作例、および変形例の構成は、相互に矛盾しない限り任意に組み合わせて実施可能であることは勿論である。
【符号の説明】
【０１６５】
１：画像読取装置    ２：ＡＤＦ    ３：読取部    ４：書込ユニット
１０：ピックアップローラ    １１：搬送ドラム    １２：搬送ローラ群
１３：原稿トレイ    １４：排紙トレイ    １５：ＣＩＳ    １６：原稿反転機構
２０：コンタクトガラス    ２１：基準白板    ２２：シート原稿用ガラス
２３：第１キャリッジ    ２４：光源    ２５，２７，２８：ミラー
２６：第２キャリッジ    ２９：レンズ    ３０：ＣＣＤ    ３１：スキャナモータ
３２：処理部    ４１：レーザ出力ユニット    ４２：結像レンズ    ４３：ミラー
４４：感光体ドラム    ４５：現像ユニット    ４６：搬送ベルト（転写ベルト）
４７：定着ユニット    ４８：排紙ユニット    ４９：両面搬送パス
５０：縦搬送ユニット    ５１：第１給紙トレイ    ５２：第２給紙トレイ
５３：第３給紙トレイ    ５４：第１給紙装置    ５５：第２給紙装置
５６：第３給紙装置    ５７：排紙トレイ    ２０１：コントローラ部
２０２：変換部    ２０３：操作部    ２０４：記憶部    ３００：プリンタ部
５００：プレビュー表示部    ５０１：印字機能キー    ５０２：情報入力部
５０３：方向キー    ５０４：設定登録キー    ５０５：パスワード入力部
５０６：パスワード設定キー    ５０７：暗号化キー    ５０８：取り消しキー
５０９：ＯＫキー
【先行技術文献】
【特許文献】
【０１６６】
【特許文献１】特開２００５−１７０００７号公報
【特許文献２】特開２００１−２６５１８１号公報
【特許文献３】特開平０６−０７００９７号公報
【特許文献４】特開２０１０−１０２０３２号公報
【図１】
2014039103.tif 000003
【図２】
2014039103.tif 000004
【図３】
2014039103.tif 000005
【図４】
2014039103.tif 000006
【図５】
2014039103.tif 000007
【図７】
2014039103.tif 000008
【図８】
2014039103.tif 000009
【図９】
2014039103.tif 000010
【図１０】
2014039103.tif 000011
【図１１】
2014039103.tif 000012
【図１２】
2014039103.tif 000013
【図１３】
2014039103.tif 000014
【図１４】
2014039103.tif 000015
【図１５】
2014039103.tif 000016
【図１６】
2014039103.tif 000017
【図１７】
2014039103.tif 000018
【図１８】
2014039103.tif 000019
【図１９】
2014039103.tif 000020
【図６】
2014039103.tif 000021